(57)【要約】【課題】反射スペクトルの測定精度を向上させるとともに、撮影の作業性を向上させることができる、スペクトルカメラ撮影装置、スペクトルカメラ撮影方法及びスペクトルカメラ撮影プログラムを提供する。【解決手段】スペクトルカメラ撮影装置は、被写体を撮影するスペクトルカメラと、被写体を照射する照明と、スペクトルカメラを制御する制御部と、スペクトルカメラを保持するカメラ保持部と、スペクトルカメラとの相対位置を固定して、照明を保持する照明保持部と、スペクトルカメラ及び照明と一体的に可搬可能に、制御部を保持する制御部保持部とを、備える。【選択図】図１
2018174489.tif 000002
【特許請求の範囲】
【請求項１】
被写体を撮影するスペクトルカメラと、
前記被写体を照射する照明と、
前記スペクトルカメラを制御する制御部と、
前記スペクトルカメラを保持するカメラ保持部と、
前記スペクトルカメラとの相対位置を固定して、前記照明を保持する照明保持部と、
前記スペクトルカメラ及び前記照明と一体的に可搬可能に、前記制御部を保持する制御部保持部と
を備える、スペクトルカメラ撮影装置。
【請求項２】
前記被写体と前記スペクトルカメラの撮影位置を視認するためのレーザ光を照射するレーザ照射部をさらに備える、請求項１に記載のスペクトルカメラ撮影装置。
【請求項３】
前記レーザ照射部は、前記被写体と前記スペクトルカメラの距離を視認するための、照射角度の異なる複数のレーザ光を照射する、請求項２に記載のスペクトルカメラ撮影装置。
【請求項４】
前記制御部は、携帯端末と無線通信をする無線通信部を備え、前記携帯端末の操作によって前記スペクトルカメラを制御する、請求項１〜３のいずれか一項に記載のスペクトルカメラ撮影装置。
【請求項５】
前記照明保持部は、前記被写体を異なる角度で照射する複数の照明を保持し、前記スペクトルカメラとの相対位置を固定する、請求項１〜４のいずれか一項に記載のスペクトルカメラ撮影装置。
【請求項６】
被写体を撮影するスペクトルカメラを保持するカメラ保持ステップと、
前記スペクトルカメラとの相対位置を固定して、前記被写体を照射する光源を保持する光源保持ステップと、
前記スペクトルカメラ及び前記光源と一体的に可搬可能に、前記スペクトルカメラを制御する制御部を保持する制御部保持ステップと
を含む、スペクトルカメラ撮影方法。
【請求項７】
被写体を撮影するスペクトルカメラを保持するカメラ保持処理と、
前記スペクトルカメラとの相対位置を固定して、前記被写体を照射する光源を保持する光源保持処理と、
前記スペクトルカメラ及び前記光源と一体的に可搬可能に、前記スペクトルカメラを制御する制御部を保持する制御部保持処理と
をコンピュータに実行させる、スペクトルカメラ撮影プログラム。
【発明の詳細な説明】
【技術分野】
【０００１】
本発明は、スペクトルカメラ撮影装置、スペクトルカメラ撮影方法及びスペクトルカメラ撮影プログラムに関する。
【背景技術】
【０００２】
近年、分析対象物をスペクトルカメラで撮影して分析する手法が注目されている。スペクトルカメラは、分析対象物を撮影して、撮影した画像の画素毎に反射スペクトルの情報を持たせた２次元画像を生成することができるカメラである。スペクトルカメラで撮影された画像を表示装置に表示させたり、印字したりすることで、分析対象物の反射スペクトルを２次元画像として可視化することが可能となる。分析対象物の分析は、例えば、反射スペクトルの分布や均一性を目視することで行われる（例えば、特許文献１を参照）。
【０００３】
ここで、反射スペクトルとは各波長における光の強度である。スペクトルカメラは、各波長においてＣＣＤ（Ｃｈａｒｇｅ  Ｃｏｕｐｌｅｄ  Ｄｅｖｉｃｅ）、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の受光素子をスキャンして、各波長における画像を生成する。スペクトルカメラの性能は、波長の分解精度（波長分解能）によって定められる。例えば、１画像における波長のバンド幅を狭くして分解能を高くした場合、撮影される画像枚数が増加する。例えば、標準光源としてハロゲンライトを用いる場合、１バンドのバンド幅を数ｎｍ〜数十ｎｍとした場合、数十〜数百バンドのバンド数で光の強度を計測することができる。
【先行技術文献】
【特許文献】
【０００４】
【特許文献１】特開２０１６−３９４８５号公報
【発明の概要】
【発明が解決しようとする課題】
【０００５】
しかしながら、スペクトルカメラは、一般的にラインスキャンで画像を生成するため、１枚の２次元画像を生成するのに時間が掛り、数十〜数百の２次元画像を生成する場合、撮影開始から終了まで相当の時間を要することになる。また、照明の照射角度が異なると被写体から反射する光量が変わるため撮影される反射スペクトルの２次元画像に影響を与える場合がある。
【０００６】
従って、例えば、撮影開始から終了までの間に、スペクトルカメラや被写体を照射する照明が移動してしまったり、スペクトルカメラと照明の相対的な位置関係が変わってしまったりした場合、撮影した画像がぶれてしまい、反射スペクトルの測定精度が低下する場合があった。
【０００７】
また、スペクトルカメラと照明の相対的な位置関係が被写体毎に異なると、被写体毎に反射スペクトルの差異が生じてしまい、測定精度が低下する場合があった。
【０００８】
さらに、スペクトルカメラに撮影範囲は、ラインスキャンによる２次元画像の生成を待って確認する必要があり、撮影の作業性が低下する場合があった。
【０００９】
本発明は上記事情に鑑みてなされたものであり、反射スペクトルの測定精度を向上させるとともに、撮影の作業性を向上させることができる、スペクトルカメラ撮影装置、スペクトルカメラ撮影方法及びスペクトルカメラ撮影プログラムを提供することを目的とする。
【課題を解決するための手段】
【００１０】
（１）本発明の一態様において、スペクトルカメラ撮影装置は、被写体を撮影するスペクトルカメラと、前記被写体を照射する照明と、前記スペクトルカメラを制御する制御部と、前記スペクトルカメラを保持するカメラ保持部と、前記スペクトルカメラとの相対位置を固定して、前記照明を保持する照明保持部と、前記スペクトルカメラ及び前記照明と一体的に可搬可能に、前記制御部を保持する制御部保持部とを備える。
【００１１】
（２）本発明の一態様のスペクトルカメラ撮影装置において、前記被写体と前記スペクトルカメラの撮影位置を視認するためのレーザ光を照射するレーザ照射部をさらに備える。
【００１２】
（３）本発明の一態様のスペクトルカメラ撮影装置において、前記レーザ照射部は、前記被写体と前記スペクトルカメラの距離を視認するための、照射角度の異なる複数のレーザ光を照射する。
【００１３】
（４）本発明の一態様のスペクトルカメラ撮影装置において、前記制御部は、携帯端末と無線通信をする無線通信部を備え、前記携帯端末の操作によって前記スペクトルカメラを制御する。
【００１４】
（５）本発明の一態様のスペクトルカメラ撮影装置において、前記照明保持部は、前記被写体を異なる角度で照射する複数の照明を保持し、前記スペクトルカメラとの相対位置を固定する。
【００１５】
（６）本発明の一態様において、スペクトルカメラ撮影方法は、被写体を撮影するスペクトルカメラを保持するカメラ保持ステップと、前記スペクトルカメラとの相対位置を固定して、前記被写体を照射する光源を保持する光源保持ステップと、前記スペクトルカメラ及び前記光源と一体的に可搬可能に、前記スペクトルカメラを制御する制御部を保持する制御部保持ステップとを含む。
【００１６】
（７）本発明の一態様において、スペクトルカメラ撮影プログラムは、被写体を撮影するスペクトルカメラを保持するカメラ保持処理と、前記スペクトルカメラとの相対位置を固定して、前記被写体を照射する光源を保持する光源保持処理と、前記スペクトルカメラ及び前記光源と一体的に可搬可能に、前記スペクトルカメラを制御する制御部を保持する制御部保持処理とを、コンピュータに実行させる。
【発明の効果】
【００１７】
本発明によれば、反射スペクトルの測定精度を向上させるとともに、撮影の作業性を向上させることができる、スペクトルカメラ撮影装置、スペクトルカメラ撮影方法及びスペクトルカメラ撮影プログラムを提供することができる。
【図面の簡単な説明】
【００１８】
【図１】実施形態のスペクトルカメラ撮影装置の概要の一例を示す図。
【図２】実施形態のスペクトルカメラ撮影装置の機能ブロックの一例を示す図。
【図３】実施形態のスペクトルカメラ撮影装置の構造の一例を示す図。
【発明を実施するための形態】
【００１９】
以下、図面を参照して本発明の一実施形態における、スペクトルカメラ撮影装置及びスペクトルカメラ撮影方法について詳細に説明する。なお、以下に示す各図において、同一構成については同一の符号を付す。
【００２０】
先ず、図１を用いて、実施形態のスペクトルカメラ撮影装置の概要を説明する。
【００２１】
図１において、スペクトルカメラ撮影装置１は、制御部１０、スペクトルカメラ１１、照明１２Ａ、照明１２Ｂ、レーザポインタ１３Ａ及びレーザポインタ１３Ｂを有する。
【００２２】
制御部１０は、スペクトルカメラ１１を制御する。制御部１０は、例えば、スペクトルカメラ１１に対して、撮影条件を設定し、撮影の開始、中断又は中止を指示し、スペクトルカメラ１１が撮影した撮影画像を取得して画像処理、若しくは画像の保存等を行う。撮影条件とは、例えば、測定波長の範囲、バンド幅、解像度、撮影感度等である。撮影条件には、画像処理の前処理の設定等を含んでいてもよい。
【００２３】
また、制御部１０は、照明１２Ａ又は照明１２Ｂ（以下、「照明１２」する。）を制御してもよい。照明１２の制御とは、例えば照明１２のＯＮ又はＯＦＦ制御、照明１２の照度の制御等である。
【００２４】
また、制御部１０は、レーザポインタ１３Ａ又はレーザポインタ１３Ｂ（以下、「レーザポインタ１３」という。）を制御してもよい。レーザポインタ１３の制御とは、レーザポインタ１３のＯＮ又はＯＦＦ制御等である。
【００２５】
制御部１０は、例えば、ＣＰＵ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）等のハードウェア機能を有するコンピュータである。なお、制御部１０のソフトウェア機能は、図２を用いて後述する。
【００２６】
スペクトルカメラ１１は、制御部１０によって制御されて被写体Ｓを撮影する。スペクトルカメラ１１は、予め設定された波長のバンド幅に基づき、被写体Ｓの反射スペクトルの２次元画像を撮影する。なお、スペクトルカメラ１１は、例えば、ラインスキャンっモードと、エリアスキャンモードを切替えて撮影できるものであってもよい。エリアスキャンは通常のビデオカメラと同様に、所定の範囲を短時間でスキャンする撮影モードである。一方、ラインスキャンモードは、解像度（分解能）と感度の高いスキャンが可能な撮影モードである。
【００２７】
スペクトルカメラ１１は、撮影方向ｄ１において被写体Ｓを撮影する。スペクトルカメラ１１は、レンズの焦点距離によって決定される画角（撮影範囲）を有している。例えば、通常のビデオカメラでは、モニタを確認しながら撮影範囲を確認し、調整することができる。しかし、ラインスキャンによって被写体Ｓを撮影する場合、撮影範囲を全て撮影するのに時間が掛ってしまい、モニタを確認しながらの微調整が困難となる。
【００２８】
レーザポインタ１３は、レーザ光の直進性を利用して、スペクトルカメラ１１の撮影範囲の目安を視認可能にする。例えば、レーザポインタ１３の光軸ｄ３がスペクトルカメラ１１の撮影方向ｄ１と平行になるようにレーザポインタ１３を設置した場合、レーザポインタ１３によってスペクトルカメラ１１の撮影方向ｄ１を大凡把握可能になる。また、図１に示すように、レーザポインタ１３Ａとレーザポインタ１３Ｂを用いた場合、レーザポインタ１３Ａの光軸ｄ３Ａとレーザポインタ１３Ｂの光軸ｄ３Ｂを異なる照射角度で設定した場合、被写体Ｓに照射されたレーザ光の距離によって、スペクトルカメラ１１と被写体Ｓの距離（撮影距離）と撮影範囲が視認可能になる。レーザポインタ１３のＯＮ又はＯＦＦは、制御部１０によって制御されてもよい。なお、図１は、レーザ光を用いるレーザポインタを例示したが、レーザポインタの代わりに、例えばＬＥＤ光を利用したポインタを使用してもよい。
【００２９】
照明１２は、被写体Ｓを照射する光源である。照明１２の波長範囲はスペクトルカメラ１１によって撮影される反射スペクトルに応じて選択することができる。例えば、標準光源としてハロゲンライトを光源に使用した場合、ハロゲンライトに含まれる波長の範囲内において反射スペクトルが撮影される。標準光源とは、測定用に定められた波長の光を出力する光源であって、例えば、ＣＩＥ（国際照明委員会）によって相関色温度が規定された光源である。
【００３０】
照明１２は、光軸ｄ２によって照射される。照明１２の光軸ｄ２や照射範囲は、例えば照明１２に取付けられたレンズによって定めることができる。図１に示すように、照明１２Ａの光軸ｄ２Ａと照明１２Ｂの光軸ｄ２Ｂとを異なる照射角度とすることにより、２つの光源で被写体Ｓを照射したときに被写体Ｓの表面にできる照明の影を少なくすることができる。なお、照明１２のＯＮ又はＯＦＦ制御、光量調整は制御部１０が制御するようにしてもよい。
【００３１】
次に、図２を用いて、実施形態のスペクトルカメラ撮影装置１の機能ブロックを説明する。
【００３２】
図２において、スペクトルカメラ撮影装置１は、制御部１０、スペクトルカメラ１１、照明１２Ａ、照明１２Ｂ、レーザポインタ１３Ａ及びレーザポインタ１３Ｂを有する。制御部１０は、撮影制御部１０１、照明制御部１０２、ポインタ制御部１０３、記憶部１０４及び通信制御部１０５の各機能を有する。本実施形態において、制御部１０が有する、撮影制御部１０１、照明制御部１０２、ポインタ制御部１０３、記憶部１０４及び通信制御部１０５の各機能は、制御プログラム（ソフトウェア）により実現することができる。すなわち、図２で示した制御部１０は、制御プログラムによって実現することができる。
【００３３】
撮影制御部１０１は、スペクトルカメラ１１による撮影を制御する。撮影制御部１０１は、スペクトルカメラ１１の解像度、撮影速度（フレーム／秒）、撮影波長のバンド幅等の設定をすることができる。また、撮影制御部１０１は、スペクトルカメラ１１による撮影の開始、中断又は中止を制御することができる。また、撮影制御部１０１は、スペクトルカメラ１１が撮影した撮影画像を取得して画像処理し、又は画像の保存を行う。撮影制御部１０１は、スペクトルカメラ１１が分光してスキャンした反射スペクトルに対して、例えば、反射光の強度を均一化する前処理を行ってもよい。反射光の強度は照明によって変化するため、撮影された画像の明るさを調整することによって、反射スペクトルの測定精度を向上させることが可能となる。また、撮影制御部１０１は、撮影された画像を視認しやすいように、画像の色補正や強調処理を行うようにしてもよい。
【００３４】
照明制御部１０２は、照明１２Ａと照明１２ＢのＯＮ又はＯＦＦ制御をする。照明制御部１０２は、照度を調整するための電圧制御をするようにしてもよい。照明１２はスペクトルカメラ撮影装置１の中で消費電力が大きいので、こまめな消灯をすることによって省電力化を図ることが可能となる。有接点による照明１２のＯＮ又はＯＦＦ制御は、振動を発生さえるため、例えば、ＳＳＲ（Solid State Relays）等の無接点リレーでＯＮ又はＯＦＦ制御をしてもよい。
【００３５】
ポインタ制御部１０３は、レーザポインタ１３Ａとレーザポインタ１３ＢのＯＮ又はＯＦＦ制御をする。レーザ光は撮影の妨げになるため、ポインタ制御部１０３は、スペクトルカメラ１１の撮影が開始されるときにはレーザポインタ１３がＯＦＦにあるようにする。
【００３６】
記憶部１０４は、スペクトルカメラ１１で撮影された画像を記憶する。記憶部１０４は、撮影された画像に対して画像処理をした画像を記憶するようにしてもよい。また、記憶部１０４は、制御部１０において実行される制御プログラムや制御部１０において使用されるデータを記憶するものであってもよい。
【００３７】
通信制御部１０５は、スマートフォン等の携帯端末２との通信を制御する。例えば、スペクトルカメラ撮影装置１内に撮影を開始するための押しボタンスイッチを設けた場合、ボタン押下の振動がスペクトルカメラ１１や照明１２に伝わってしまう場合がある。通信制御部１０５は、スペクトルカメラ撮影装置１に離れた位置からでも携帯端末２からの制御部１０の操作を可能にする。通信制御部１０５は、例えば、近距離無線による携帯端末２との通信を制御する。
【００３８】
なお、制御部１０が有する、撮影制御部１０１、照明制御部１０２、ポインタ制御部１０３、記憶部１０４及び通信制御部１０５の各機能は、上述の通り、ソフトウェアによって実現されるものとして説明した。しかし、制御部１０が有する上記機能の中で少なくとも１つ以上の機能は、ハードウェアによって実現されるものであっても良い。
【００３９】
また、制御部１０が有する上記何れかの機能は、１つの機能を複数の機能に分割して実施してもよい。また、スペクトルカメラ撮影装置１が有する上記何れか２つ以上の機能を１つの機能に集約して実施してもよい。
【００４０】
また、制御部１０は、１つの筐体によって実現される装置であっても、ネットワーク等を介して接続された複数の装置から実現されるシステムであってもよい。例えば、制御部１０は、クラウドコンピューティングシステムによって提供されるクラウドサービス等、仮想的な装置と通信して構成される装置であってもよい。また、制御部１０は、サーバ装置等の汎用のコンピュータであってもよく、あるいは機能が限定された専用の装置であってもよい。
【００４１】
また、制御部１０の上記各機能のうち、少なくとも１以上の機能を他の装置において実現するようにしてもよい。すなわち、制御部１０は上記全ての機能を有している必要はなく、一部の機能を有するものであってもよい。
【００４２】
次に、図３を用いて、実施形態のスペクトルカメラ撮影装置の構造を説明する。
【００４３】
図３において、スペクトルカメラ撮影装置１は、スペクトルカメラ１１、カメラ保持部１１ｈ、照明１２Ａ、照明１２Ｂ、照明保持部１２Ａｈ、照明保持部１２Ｂｈ、制御部１０、制御部保持部１０ｈ、レーザポインタ１３Ａ及びレーザポインタ１３Ｂを有する。
【００４４】
制御部保持部１０ｈは、制御部１０を保持する。制御部保持部１０ｈは、例えば、三脚に取り付けられて、制御部１０を三脚に固定する。制御部１０を三脚に固定することによって、三脚の移動とともに制御部１０を移動することができ、撮影の作業性を向上させることができる。制御部保持部１０ｈは、三脚の脚の間に取り付けて制御部１０を固定することができ、三脚の安定性を向上させることができる。
【００４５】
カメラ保持部１１ｈは、スペクトルカメラ１１を保持する。カメラ保持部１１ｈは、例えば三脚に取り付けられた雲台を用いることができる。カメラ保持部１１ｈは、スペクトルカメラ１１を保持して撮影位置を固定する。
【００４６】
照明保持部１２Ａｈは、照明１２Ａを保持する。照明保持部１２Ｂｈは、照明１２Ｂを保持する。照明保持部１２Ａｈ及び照明保持部１２Ｂｈは、例えば三脚に取り付けられた、左右に広がるアームの端部に取付けることが可能である。照明保持部１２Ａｈは、照明１２Ａを保持して、スペクトルカメラ１１との位置関係を固定する。照明保持部１２Ｂｈは、照明１２Ｂを保持して、スペクトルカメラ１１との位置関係を固定する。照明１２とスペクトルカメラ１１との位置関係を固定することによって、被写体Ｓに照射される照明の強度を安定させることができるので、反射スペクトルの測定精度を向上させるとともに、照明の照射を調整作業が不要となり、撮影の作業性を向上させることができる。図３においては、照明保持部１２Ａｈ及び照明保持部１２Ｂｈは、スペクトルカメラ１１を中心に左右に照明１２Ａ及び照明１２Ｂを配置するように取り付けられる。しかし、照明保持部１２Ａｈ及び照明保持部１２Ｂｈは、例えば、スペクトルカメラ１１を中心に上下に照明１２Ａ及び照明１２Ｂを配置するように取り付けられてもよい。照明１２Ａと照明１２Ｂの配置間隔を広げることにより、照明の照射角度を得ることができるので、被写体Ｓの影を少なくすることが可能となる。
【００４７】
レーザポインタ１３Ａ及びレーザポインタ１３Ｂも三脚に取り付けられた、左右に広がるアームの端部に取付けることによりレーザ光の照明の照射角度を得ることができるので、スペクトルカメラ１１と被写体Ｓとの距離を計測しやすくなり、撮影の作業性を向上させることができる。
【００４８】
なお、図３においては、スペクトルカメラ撮影装置１を、三脚を用いて構築する場合を説明したが、スペクトルカメラ撮影装置１の構造はこれに限定されない。例えば、スペクトルカメラ撮影装置１を、台車等の可搬手段を用いて構築するようにしてもよい。可搬手段を用いて構築することによって、スペクトルカメラ撮影装置１の移動と設置が容易になり、撮影の作業性を向上させることができる。
【００４９】
以上、説明した、スペクトルカメラ撮影装置は、被写体を撮影するスペクトルカメラと、被写体を照射する照明と、スペクトルカメラを制御する制御部と、スペクトルカメラを保持するカメラ保持部と、スペクトルカメラとの相対位置を固定して、照明を保持する照明保持部と、スペクトルカメラ及び照明と一体的に可搬可能に、制御部を保持する制御部保持部とを備える。この構成によって、反射スペクトルの測定精度を向上させるとともに、撮影の作業性を向上させることができる。
【００５０】
なお、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合わせで実現するもの、いわゆる差分ファイル（差分プログラム）であっても良い。
【００５２】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００５３】
１…スペクトルカメラ撮影装置、１０…制御部、１０ｈ…制御部保持部、１０１…撮影制御部、１０２…照明制御部、１０３…ポインタ制御部、１０４…記憶部、１０５…通信制御部、１１…スペクトルカメラ、１１ｈ…カメラ保持部、１２Ａ、１２Ｂ…照明、１２Ａｈ、１２Ｂｈ…照明保持部、１３Ａ、１３Ｂ…レーザポインタ
【図１】
2018174489.tif 000003
【図２】
2018174489.tif 000004
【図３】
2018174489.tif 000005
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
被写体を撮影するスペクトルカメラと、
前記被写体を照射する照明と、
前記スペクトルカメラを制御する制御部と、
前記スペクトルカメラを保持するカメラ保持部と、
前記スペクトルカメラとの相対位置を固定して、前記照明を保持する照明保持部と、
前記スペクトルカメラ及び前記照明と一体的に可搬可能に、前記制御部を保持する制御部保持部と
を備え、
前記制御部は、前記照明の照度を調整する照明制御部を備える、
スペクトルカメラ撮影装置。
【請求項２】
前記被写体と前記スペクトルカメラの撮影位置を視認するためのレーザ光を照射するレーザ照射部をさらに備える、請求項１に記載のスペクトルカメラ撮影装置。
【請求項３】
前記レーザ照射部は、前記被写体と前記スペクトルカメラの距離を視認するための、照射角度の異なる複数のレーザ光を照射する、請求項２に記載のスペクトルカメラ撮影装置。
【請求項４】
前記制御部は、携帯端末と無線通信をする無線通信部を備え、前記携帯端末の操作によって前記スペクトルカメラを制御する、請求項１〜３のいずれか一項に記載のスペクトルカメラ撮影装置。
【請求項５】
前記照明保持部は、前記被写体を異なる角度で照射する複数の照明を保持し、前記スペクトルカメラとの相対位置を固定する、請求項１〜４のいずれか一項に記載のスペクトルカメラ撮影装置。
【請求項６】
被写体を撮影するスペクトルカメラを保持するカメラ保持ステップと、
前記スペクトルカメラとの相対位置を固定して、前記被写体を照射する光源を保持する光源保持ステップと、
前記スペクトルカメラ及び前記光源と一体的に可搬可能に、前記スペクトルカメラを制御する制御部を保持する制御部保持ステップと、
前記制御部が、前記光源の照度を調整する光源制御ステップと、
を含む、スペクトルカメラ撮影方法。
【手続補正３】
【補正対象書類名】明細書
【補正対象項目名】０００１
【補正方法】変更
【補正の内容】
【０００１】
本発明は、スペクトルカメラ撮影装置及びスペクトルカメラ撮影方法に関する。
【手続補正４】
【補正対象書類名】明細書
【補正対象項目名】０００９
【補正方法】変更
【補正の内容】
【０００９】
本発明は上記 事情に鑑みてなされたものであり、反射スペクトルの測定精度を向上させるとともに、撮影の作業性を向上させることができる、スペクトルカメラ撮影装置及びスペクトルカメラ撮影方法を提供することを目的とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明によれ ば、反射スペクトルの測定精度を向上させるとともに、撮影の作業性を向上させることができる、スペクトルカメラ撮影装置及びスペクトルカメラ撮影方法を提供することができる。